(57)【特許請求の範囲】
【請求項１】
容器と、混合剤の収納室を設けた下キャップと、上キャップと押圧体とからなる二剤混合容器であって、
下キャップは、上壁と側周壁とからなり、上壁の上面に注出筒を設け、下面に注出筒と離隔し、かつ注出筒に並列して混合剤の収納室を垂設し、収納室の底部には、薄肉の切断溝を介して周壁に連設された底壁を具え、
押圧体は、上壁と、収納室の周壁に嵌挿された筒体とからなり、該筒体の下端には傾斜した切断面形状を呈する刃体が形成され、該上壁の周縁は、切断可能な接続片を介して下キャップの上壁上面に載置された保持体に連設され、
上キャップは、下キャップにヒンジ結合され、その頂壁には注出筒の注出口を開閉する栓体が垂設されていることを特徴とする二剤混合容器。
【請求項２】
容器と、混合剤の収納室を設けた下キャップと、上キャップと押圧体とからなる二剤混合容器であって、
下キャップは、上壁と側周壁とからなり、上壁の上面に注出筒を設け、下面に注出筒と離隔し、かつ注出筒に並列して混合剤の収納室を垂設し、収納室の底部には、周壁の内周下端に嵌合された底蓋を具え、
押圧体は、上壁と、収納室の周壁に嵌挿された筒体とからなり、該上壁の下面には底蓋を押し下げ可能な押下げ杆が垂設され、該上壁の周縁は、切断可能な接続片を介して下キャップの上壁上面に載置された保持体に連設され、
上キャップは、下キャップにヒンジ結合され、その頂壁には注出筒の注出口を開閉する栓体が垂設されていることを特徴とする二剤混合容器。
【発明の詳細な説明】
【技術分野】
【０００１】
本発明は、消費者が使用する直前に二液、または二剤を混合する二剤混合容器に関する。
【背景技術】
【０００２】
二液を混合するために、本体キャップの小孔を囲んだガイド筒が本体キャップの外周壁の内側に垂下され、このガイド筒の下端縁は断面が鋭利な形状とし、このガイド筒の下端縁を中栓の遮蔽板に対向させ、外装キャップを下方に押圧すると、外装キャップの外周壁がスライドしてその下端縁が容器の口の外周の環状突部の下に位置して係止されるとともに、ガイド筒の下端縁が中栓の遮蔽板に切り込みをいれるようにし、中栓に収納した液を容器内に落として混合させ、キャップ本体の小孔から注出させるようにした二剤混合容器は、従来より知られている（例えば、特許文献１参照）。
【特許文献１】特許第３０２４０８９号公報
【発明の開示】
【発明が解決しようとする課題】
【０００３】
しかしながら、上記特許文献１記載の二剤混合容器では、キャップの小孔（注出口）を囲んで設けられたガイド筒と遮蔽板を有する中栓とをキャップ本体の中心軸線上に配置しているので、注出口がキャップ本体の中央に位置し、注出時に、所望する注出方向に容器を大きく傾けなければならず、使い勝手が良くないという問題があった。
また、注出口から液だれした内容液で、キャップ本体の上面が汚れるという問題があった。
そのため、キャップ本体の上面を広くすることができず、大容量の二剤混合容器に適さなかった。
【０００４】
本発明は、上記問題を解決することを課題とし、注出筒と混合液収納部を、キャップ本体の上面上に並列して配設し、注出筒を注出方向側の周縁近くに設けて、注出時に、所望する方向に容易に注出できる二剤混合容器を提供することを目的とする。
【課題を解決するための手段】
【０００５】
本発明は、上記の問題を解決するため、二剤混合容器として、容器と、混合剤の収納室を設けた下キャップと、上キャップと押圧体とからなる二剤混合容器であって、下キャップは、上壁と側周壁とからなり、上壁の上面に注出筒を設け、下面に注出筒と離隔し、かつ注出筒に並列して混合剤の収納室を垂設し、収納室の底部には、薄肉の切断溝を介して周壁に連設された底壁を具え、押圧体は、上壁と、収納室の周壁に嵌挿された筒体とからなり、該筒体の下端には傾斜した切断面形状を呈する刃体が形成され、該上壁の周縁は、切断可能な接続片を介して下キャップの上壁上面に載置された保持体に連設され、上キャップは、下キャップにヒンジ結合され、その頂壁には注出筒の注出口を開閉する栓体が垂設されていることを特徴とする構成を採用する。
【０００６】
二剤混合容器の別実施例として、容器と、混合剤の収納室を設けた下キャップと、上キャップと押圧体とからなる二剤混合容器であって、下キャップは、上壁と側周壁とからなり、上壁の上面に注出筒を設け、下面に注出筒と離隔し、かつ注出筒に並列して混合剤の収納室を垂設し、収納室の底部には、周壁の内周下端に嵌合された底蓋を具え、押圧体は、上壁と、収納室の周壁に嵌挿された筒体とからなり、該上壁の下面には底蓋を押し下げ可能な押下げ杆が垂設され、該上壁の周縁は、切断可能な接続片を介して下キャップの上壁上面に載置された保持体に連設され、上キャップは、下キャップにヒンジ結合され、その頂壁には注出筒の注出口を開閉する栓体が垂設されていることを特徴とする構成を採用する。
【発明の効果】
【０００８】
容器と、混合液の収納室を設けた下キャップと、上キャップと押圧体とからなる二剤混合容器において、下キャップの上壁上面に注出筒を設け、下面に注出筒に並列して底部を具えた混合剤の収納筒を垂設し、注出筒を中央に設けた収納筒とは別の場所に設けているので、取扱いが容易になった。
【０００９】
また、注出筒を注出方向側の周縁近くに設けているので、注出時に、所望する方向に容易に注出できるようになった。
【発明を実施するための最良の形態】
【００１０】
次に、本発明の二剤混合容器について、実施例をあげ、図面を参照して説明する。
【実施例１】
【００１１】
図１において、Ａは容器、Ｂは下キャップ、Ｃは下キャップＢにヒンジＣａを介して連設された上キャップ、Ｄは押圧体である。
【００１２】
図１、２に示すように、容器Ａは、口部１と胴部２、底部とからなり、口部１には、下キャップＢが螺合するねじ３が刻設されている。
【００１３】
下キャップＢは、側周壁４と上壁５とを具えており、所定の位置に上キャップＣを連接するヒンジＣａが設けられ、側周壁４の内周には、口部１のねじ３に螺合するねじ６が刻設されている。
【００１４】
上壁５の上面には、ヒンジＣａの反対側に、上部にラッパ状の注出口７を設けた注出筒８が立設され、上壁５の下面には、側周壁４に沿って、容器口部１内周と嵌合し、容器Ａ内を密封する密封リング９が垂設されており、その内側で注出筒８に隣接して、混合剤の収納筒１０が垂設され、液状、または粉、粒状の混合剤が収納されている。
【００１５】
収納筒１０は、周壁１１と、その底部の底壁１２とから構成され、周壁１１の下端内周には、薄肉の切断溝１３が刻設され、該切断溝１３を介して底壁１２が、取外し可能として周壁１１下端に連設されている。
【００１６】
押圧体Ｄは、上壁１５と収納筒１０の周壁１１内に上下動可能に係合される筒体１６とからなり、筒体１６の下端縁には、刃体１７が形成されている。
押圧体Ｄの上壁１５の周縁は、保持体１８に切断可能な接続片１９を介して連設され、保持体１８は、下キャップＢの上壁５上面に載置されている。 
また、上壁５に保持体１８が嵌合し得る環状溝を設け、保持体１８を該環状溝に嵌挿するようにしてもよい。
【００１７】
上キャップＣは、下キャップＢにヒンジＣａを介して連設されており、頂壁２０と周壁２１とからドーム状に形成され、頂壁２０には、注出口７を開閉する栓体２２が垂設されている。
【００１８】
次に、本実施例の二剤混合容器の使用態様と、作用効果について、図１〜図３に従って説明する。
本実施例の二剤混合容器は、容器Ａに主液、または主剤が収納され、収納筒１０には、混合液、または混合剤が収納される。
次いで、保持体１８に連設された押圧体Ｄの筒体１６が収納筒１０に嵌挿され、保持体１８は、下キャップＢの上壁５に載置されて、筒体１６の下端の刃体１７が、収納筒１０の底壁１２から離れた状態に維持される。
次に、上キャップＣが嵌挿され、栓体２２によって、注出口７が閉じられ、図１に示すような状態となる。    
【００１９】
混合容器の使用にあたっては、図３に示すように、上キャップＣを開き、押圧体Ｄを押下げると、押圧体Ｄの上壁１５と保持体１８を連設する接続片１９が切断されて、押圧体Ｄは下降し、保持体１８を上方に取去り、上壁１５を下キャップＢの上壁５上面に一致するまで押下げることができる。
また、保持体１８の取外しは、押圧体Ｄを押下げる前に行い、その後に押下げるようにしてもよい。
そして、筒体１６下端縁の刃体１７により、切断溝１３を切開いて、底壁１２を取外して混合剤を落下させ、容器Ａ内の主液、または主剤に混合させることができる。
その後に、上キャップＣを閉じて容器Ａ全体をよく振って、二液、または二剤を混合させて使用する。
【００２０】
注出にあたっては、上キャップＣを開いた状態で容器Ａを傾けると、注出口７より二液、または二剤の混合物を注出することができる。
その際、押圧体Ｄの筒体１６は、混合剤の収納筒１０内周に嵌合され、押圧体Ｄの内部には、容器Ａの空気が満たされているので、収納筒１０と押圧体Ｄとの間から内容物が漏れることはない。
注出が終わると、容器Ａを正立させ、上キャップＣを閉じると、二液、または二剤の混合物を保存しておくことができる。
【００２１】
上記実施例では、混合剤の収納筒１０の底壁１２を、薄肉の切断溝１３を介して周壁１１下端と連設したが、底壁１２に変えて、シール材を周壁１１下端面に貼着するようにしてもよく、また、押圧体Ｄの上壁１５の周縁に鍔をつけるようにしてもよい。
さらにまた、押圧体Ｄを混合剤の収納筒１０内に嵌挿するようにしたが、押圧体Ｄ外周と収納筒１０内周にねじを刻設し、螺合させるようにしてもよい。
【実施例２】
【００２２】
次に、押圧体と収納筒の構成を変更した第２実施例について説明する。
第１実施例と同一の構成部分には、同一の符号を付して図示するにとどめ、相違点を中心に説明する。
図４において、Ｂａは下キャップ、Ｃは上キャップ、Ｄａは押圧体である。
【００２３】
下キャップＢａの上壁５ａ下方に、混合剤の収納筒３０が設けられている。
収納筒３０は、上壁５ａから垂設された周壁３１と底蓋３２とからなっており、周壁３１下端には、膨出部３３が設けられている。
底蓋３２は、周壁３１の下端面を塞ぐ底板３４と、周壁３１内周と係合する側周壁３５とからなり、側周壁３５の外周には膨出部３３と係合する膨出部３６が設けられている。
【００２４】
押圧体Ｄａは、上壁４０と収納筒３０の周壁３１内に係合される筒体４１とからなり、上壁４０の中央には、底蓋３２を押下げる押下げ杆４２が垂設されている。
上壁４０の周縁は、接続片４３を介して保持体４４に連設されている。
【００２５】
次に、第２実施例の作用効果について説明する。
混合容器の使用にあたって、上キャップＣを開き、押圧体Ｄａを押下げると、図５に示すように、接続片４３が切断されて押圧体Ｄａが下降し、押下げ杆４２が底蓋３２を押下げ、底蓋３２を周壁３１より取外して落下させ、収納筒３０内の混合剤を容器Ａ内の内容物に混合させることができる。
保持体４４の取外しは、押圧体Ｄａを押下げる前であってもよい。
その他の作用効果は、実施例１のそれと同一である。
【００２６】
前記各実施例において、容器口部外周と下キャップの側周壁内周にねじを刻設して螺合するようにしたが、ねじに換え、それぞれに嵌合突条を設け、打栓式キャップとしてもよい。
【産業上の利用可能性】
【００２７】
本発明は、注出筒と押圧体を受け入れる混合液の収納筒を異なる個所に形成し、下キャップの注出方向の側に注出筒を設けたので注出が容易となり、また、大容量に適する二剤混合容器となったので、多くの製品に使用が可能となり、広く利用できるようになった。
【図面の簡単な説明】
【００２８】
【図１】本発明第１実施例の二剤混合容器の一部断面立面図である。
【図２】二剤混合容器の上キャップを開いた説明図で、（ａ）は上面図、（ｂ）は一部断面立面図である。
【図３】二剤混合容器の混合時の状態を示す一部断面立面図である。
【図４】第２実施例の二剤混合容器の一部断面立面図である。
【図５】二剤混合容器の混合時の状態を示す一部断面立面図である。
【符号の説明】
【００２９】
Ａ            容器
Ｂ、Ｂａ      下キャップ
Ｃ            上キャップ
Ｃａ          ヒンジ
Ｄ、Ｄａ      押圧体
１            口部
２            胴部
３、６        ねじ
４、３５      側周壁
５、５ａ、１５、４０  上壁
７            注出口
８            注出筒
９            密封リング
１０、３０    収納筒
１１、２１、３１  周壁
１２          底壁
１３          切断溝
１６、４１    筒体
１７          刃体
１８、４４    保持体
１９、４３    接続片
２０          頂壁
２２          栓体
３２          底蓋
３３、３６    膨出部
３４          底板
４２          押下げ杆
【図１】
0005154172.tif 000002
【図２】
0005154172.tif 000003
【図３】
0005154172.tif 000004
【図４】
0005154172.tif 000005
【図５】
0005154172.tif 000006